(57)【特許請求の範囲】
【請求項１】
位置取得ユニットが、クライアント側の注目位置を取得するステップと、
情報処理ユニットが、アラート時間に基づいて、前記注目位置に対するターゲット交通機関の走行状態情報を取得するステップと、
情報プッシュユニットが、クライアント側に前記走行状態情報をプッシュするステップと、を含み、
前記ターゲット交通機関の路線が変更されたことが検出されると、前記情報プッシュユニットが、前記ターゲット交通機関を走行状態情報をプッシュする対象から削除する要求の情報を前記クライアント側にプッシュする、ことを特徴とする交通情報のプッシュ方法。
【請求項２】
前記のクライアント側の注目位置を取得するステップにおいては、
前記位置取得ユニットが、クライアント側から送信される注目位置を受信することを含んでおり、
ここで、前記注目位置は前記クライアント側に受信される、ユーザが入力する駅名称又は座標情報を含むことを特徴とする請求項１に記載の方法。
【請求項３】
前記のクライアント側の注目位置を取得するステップにおいては、
前記位置取得ユニットが、前記クライアント側が所在する端末に対して測位操作を行って前記クライアント側が所在する端末の位置を取得し、前記クライアント側が所在する端末の位置を前記注目位置とすることを含むことを特徴とする請求項１に記載の方法。
【請求項４】
前記のクライアント側の注目位置を取得するステップにおいては、
前記位置取得ユニットが、前記クライアント側がデフォルトのバーコードを走査した後に取得してから送信した注目位置を受信することを含んでおり、
ここで、前記注目位置は駅名称又は座標情報を含み、
前記バーコードは１次元バーコード又は２次元バーコードを含むことを特徴とする請求項１に記載の方法。
【請求項５】
前記のアラート時間に基づいて、前記注目位置に対するターゲット交通機関の走行状態情報を取得するステップにおいては、
前記情報処理ユニットが、前記アラート時間及び前記ターゲット交通機関の標識を取得するステップと、
前記情報処理ユニットが、アラート時間になると、前記ターゲット交通機関の標識に基づいて、前記ターゲット交通機関の前記アラート時間での位置を取得するステップと、
前記情報処理ユニットが、前記ターゲット交通機関の前記アラート時間での位置及び前記注目位置に基づいて、前記注目位置に対する前記ターゲット交通機関の走行状態情報を取得するステップと、を含むことを特徴とする請求項１に記載の方法。
【請求項６】
前記注目位置に対する前記ターゲット交通機関の走行状態情報は、
前記ターゲット交通機関と前記注目位置との間の駅の数、前記ターゲット交通機関と前記注目位置との間の距離情報、前記ターゲット交通機関が前記注目位置に到着する所要時間、前記ターゲット交通機関が前記注目位置に到着する時刻及び前記ターゲット交通機関が前記注目位置に到着する走行ルート情報のうちの少なくとも１つを含むことを特徴とする請求項１又は５に記載の方法。
【請求項７】
前記位置取得ユニットが、前記クライアント側の目的位置を取得するステップと、
前記位置取得ユニットが、前記ターゲット交通機関の現在の時刻での位置を取得するステップと、
前記情報処理ユニットが、前記ターゲット交通機関の現在の時刻での位置及び前記クライアント側の目的位置に基づいて、前記目的位置に対する前記ターゲット交通機関の走行状態情報を取得するステップと、
前記情報プッシュユニットが、前記目的位置に対する前記ターゲット交通機関の走行状態情報がデフォルトのプッシュ条件を満たす場合に、前記クライアント側に前記目的位置に対する前記ターゲット交通機関の走行状態情報をプッシュするステップと、をさらに含むことを特徴とする請求項１に記載の方法。
【請求項８】
前記目的位置に対する前記ターゲット交通機関の走行状態情報は、
前記ターゲット交通機関と前記目的位置との間の駅の数、前記ターゲット交通機関と前記目的位置との間の距離情報、前記ターゲット交通機関が前記目的位置に到着する所要時間、前記ターゲット交通機関が前記目的位置に到着する時刻及び前記ターゲット交通機関が前記目的位置に到着する走行ルート情報のうちの少なくとも１つを含むことを特徴とす
る請求項７に記載の方法。
【請求項９】
前記走行状態情報は、地図、文字及び音声の３つのタイプの少なくとも１つを含むことを特徴とする請求項１、５乃至８のいずれかに記載の方法。
【請求項１０】
クライアント側の注目位置を取得するための位置取得ユニットと、
アラート時間に基づいて、前記注目位置に対するターゲット交通機関の走行状態情報を取得するための情報処理ユニットと、
クライアント側に前記走行状態情報をプッシュするための情報プッシュユニットとを、含み、
前記ターゲット交通機関の路線が変更されたことが検出されると、前記情報プッシュユニットは、前記ターゲット交通機関を走行状態情報をプッシュする対象から削除する要求の情報を前記クライアント側にプッシュする、ことを特徴とする交通情報のプッシュ装置。
【請求項１１】
前記位置取得ユニットは、具体的には、
クライアント側の送信する注目位置を受信することに用いられ、
そのうち、前記注目位置は、前記クライアント側に受信される、ユーザが入力する駅名称又は座標情報を含むことを特徴とする請求項１０に記載の装置。
【請求項１２】
前記位置取得ユニットは、具体的には、
前記クライアント側が所在する端末に対して測位操作を行って前記クライアント側が所在する端末の位置を取得し、前記クライアント側が所在する端末の位置を前記注目位置とすることに用いられることを特徴とする請求項１０に記載の装置。
【請求項１３】
前記位置取得ユニットは、具体的には、
前記クライアント側がデフォルトのバーコードを走査した後に取得してから送信した注目位置を受信することに用いられ、
ここで、前記注目位置は駅名称又は座標情報を含み、
前記バーコードは１次元バーコード又は２次元バーコードを含むことを特徴とする請求項１０に記載の装置。
【請求項１４】
前記情報処理ユニットは、具体的には、
前記アラート時間及び前記ターゲット交通機関の標識を取得することと、
前記アラート時間になると、前記ターゲット交通機関の標識に基づいて、前記ターゲット交通機関の前記アラート時間での位置を取得することと、
前記ターゲット交通機関の前記アラート時間での位置及び前記注目位置に基づいて、前記注目位置に対する前記ターゲット交通機関の走行状態情報を取得することとに用いられることを特徴とする請求項１０に記載の装置。
【請求項１５】
前記注目位置に対する前記ターゲット交通機関の走行状態情報は、
前記ターゲット交通機関と前記注目位置との間の駅の数、前記ターゲット交通機関と前記注目位置との間の距離情報、前記ターゲット交通機関が前記注目位置に到着する所要時間、前記ターゲット交通機関が前記注目位置に到着する時刻及び前記ターゲット交通機関が前記注目位置に到着する走行ルート情報のうちの少なくとも１つを含むことを特徴とする請求項１０又は１４に記載の装置。
【請求項１６】
前記位置取得ユニットは、さらに、前記クライアント側の目的位置を取得すること及び前記ターゲット交通機関の現在の時刻での位置を取得することに用いられ、
前記情報処理ユニットは、さらに、前記ターゲット交通機関の現在の時刻での位置及び前記クライアント側の目的位置に基づいて、前記目的位置に対する前記ターゲット交通機関の走行状態情報を取得することに用いられ、
前記情報プッシュユニットは、さらに、前記目的位置に対する前記ターゲット交通機関の走行状態情報がデフォルトのプッシュ条件を満たす場合に、前記クライアント側に前記目的位置に対する前記ターゲット交通機関の走行状態情報をプッシュすることに用いられることを特徴とする請求項１０に記載の装置。
【請求項１７】
前記目的位置に対する前記ターゲット交通機関の走行状態情報は、前記ターゲット交通機関と前記目的位置との間の駅の数、前記ターゲット交通機関と前記目的位置との間の距離情報、前記ターゲット交通機関が前記目的位置に到着する所要時間、前記ターゲット交通機関が前記目的位置に到着する時刻及び前記ターゲット交通機関が前記目的位置に到着する走行ルート情報のうちの少なくとも１つを含むことを特徴とする請求項１６に記載の
装置。
【請求項１８】
前記走行状態情報は地図、文字及び音声の３つのタイプの少なくとも１つを含むことを特徴とする請求項１０、１４乃至１７のいずれかに記載の装置。
【発明の詳細な説明】
【技術分野】
【０００１】
本発明は測位技術分野に関し、特に交通情報のプッシュ方法及び装置に関する。
【背景技術】
【０００２】
現在、多くの都市について、公共交通機関の輸送能力が不足で、発車間隔が大きく、道路状況及び交通事故の影響を受けるため、到着時刻が予定より遅れる等の状況がよくあり、バスの「バスがなかなか来ない」ことはもう一般的な社会問題になり、大衆はバスの到着情報をリアルタイムに取得して「バスがなかなか来ない」という問題を解決するニーズが日増しに高まっている。
【０００３】
国内のインテリジェント交通の発展に伴い、インターネットに基づいてバス及び乗り換え情報を検索するアプリケーションが現れ、当該アプリケーションは各種の静的データ、例えば注目ポイント検索、路線案内、駅位置、乗り換え関係等の検索を提供することができる。
【０００４】
上記アプリケーションにおいて、ユーザは検索対象のバス路線名称、バス停名称等の情報を入力する必要があり、それからサーバは該バス路線の走行状態、例えば該バス路線が通過するバス停のリストを戻し、又は地図に該バス路線の位置、バス停の位置等の情報を表示する。ユーザはあるバス路線のバスに頻繁に乗れば、上記のような同じ検索操作を繰り返す必要があり、従って、従来の技術においてバス路線の走行状態を取得する効率が比較的低く、当該ユーザのニーズを効果的に満たすことができない。
【発明の概要】
【発明が解決しようとする課題】
【０００５】
上記問題に鑑み、本発明の実施例は、ターゲット交通機関の交通情報を取得する効率を向上させることを実現できる交通情報のプッシュ方法及び装置を提供する。
【課題を解決するための手段】
【０００６】
本発明の実施例は交通情報のプッシュ方法を提供し、
クライアント側に対応する注目位置を取得するステップと、
アラート時間に基づいて、前記注目位置に対するターゲット交通機関の走行状態情報を取得するステップと、
クライアント側に前記走行状態情報をプッシュするステップと、を含む。
【０００７】
上記方法において、前記クライアント側に対応する注目位置を取得するステップは、
クライアント側から送信される注目位置を受信することを含んでおり、
ここで、前記注目位置は、前記クライアント側に受信される、ユーザが入力する駅名称又は座標情報を含む。
【０００８】
上記方法において、前記クライアント側に対応する注目位置を取得するステップは、
前記クライアント側が所在する端末に対して測位操作を行って前記クライアント側が所在する端末の位置を取得し、前記クライアント側が所在する端末の位置を前記注目位置とすることを含む。
【０００９】
上記方法において、前記クライアント側に対応する注目位置を取得するステップは、
前記クライアント側がデフォルトのバーコードを走査した後に取得してから送信した注目位置を受信することを含んでおり、
ここで、前記注目位置は駅名称又は座標情報を含み、
前記バーコードは１次元バーコード又は２次元バーコードを含む。
【００１０】
上記方法において、前記アラート時間に基づいて、前記注目位置に対するターゲット交通機関の走行状態情報を取得するステップは、
前記アラート時間及び前記ターゲット交通機関の標識を取得するステップと、
前記アラート時間になると、前記ターゲット交通機関の標識に基づいて、前記ターゲット交通機関の前記アラート時間での位置を取得するステップと、
前記ターゲット交通機関の前記アラート時間での位置及び前記注目位置に基づいて、前記注目位置に対する前記ターゲット交通機関の走行状態情報を取得するステップと、を含む。
【００１１】
上記方法において、前記注目位置に対する前記ターゲット交通機関の走行状態情報は
前記ターゲット交通機関と前記注目位置との間の駅の数、前記ターゲット交通機関と前記注目位置との間の距離情報、前記ターゲット交通機関が前記注目位置に到着する所要時間、前記ターゲット交通機関が前記注目位置に到着する時刻及び前記ターゲット交通機関が前記注目位置に到着する走行ルート情報のうちの少なくとも１つを含む。
【００１２】
上記方法において、前記クライアント側に対応する目的位置を取得するステップと、
前記ターゲット交通機関の現在の時刻での位置を取得するステップと、
前記ターゲット交通機関の現在の時刻での位置及び前記クライアント側に対応する目的位置に基づいて、前記目的位置に対する前記ターゲット交通機関の走行状態情報を取得するステップと、
前記目的位置に対する前記ターゲット交通機関の走行状態情報がデフォルトのプッシュ条件を満たす場合に、前記クライアント側に前記目的位置に対する前記ターゲット交通機関の走行状態情報をプッシュするステップと、をさらに含む。
【００１３】
上記方法において、前記目的位置に対する前記ターゲット交通機関の走行状態情報は、
前記ターゲット交通機関と前記目的位置との間の駅の数、前記ターゲット交通機関と前記目的位置との間の距離情報、前記ターゲット交通機関が前記目的位置に到着する所要時間、前記ターゲット交通機関が前記目的位置に到着する時刻及び前記ターゲット交通機関が前記目的位置に到着する走行ルート情報のうちの少なくとも１つを含む。
【００１４】
上記方法において、前記走行状態情報は地図、文字及び音声の３つのタイプの少なくとも１つを含む。
【００１５】
本発明の実施例は交通情報のプッシュ装置をさらに提供し、
クライアント側に対応する注目位置を取得するための位置取得ユニットと、
アラート時間に基づいて、前記注目位置に対するターゲット交通機関の走行状態情報を取得するための情報処理ユニットと、
クライアント側に前記走行状態情報をプッシュするための情報プッシュユニットとを含む。
【００１６】
上記装置において、前記位置取得ユニットは、具体的には、
クライアント側が送信する注目位置を受信することに用いられ、
ここで、前記注目位置は、前記クライアント側に受信される、ユーザが入力する駅名称又は座標情報を含む。
【００１７】
上記装置において、前記位置取得ユニットは、具体的には、
前記クライアント側が所在する端末に対して測位操作を行って前記クライアント側が所在する端末の位置を取得し、前記クライアント側が所在する端末の位置を前記注目位置とすることに用いられる。
【００１８】
上記装置において、前記位置取得ユニットは、具体的には、
前記クライアント側がデフォルトのバーコードを走査した後に取得してから送信した注目位置を受信することに用いられ、
ここで、前記注目位置は駅名称又は座標情報を含み、
前記バーコードは１次元バーコード又は２次元バーコードを含む
【００１９】
上記装置において、前記情報取得ユニットは、具体的には、
前記アラート時間及び前記ターゲット交通機関の標識を取得することと、
前記アラート時間になると、前記ターゲット交通機関の標識に基づいて、前記ターゲット交通機関の前記アラート時間での位置を取得することと、
前記ターゲット交通機関の前記アラート時間での位置及び前記注目位置に基づいて、前記注目位置に対する前記ターゲット交通機関の走行状態情報を取得することとに用いられる。
【００２０】
上記装置において、前記注目位置に対する前記ターゲット交通機関の走行状態情報は、
前記ターゲット交通機関と前記注目位置との間の駅の数、前記ターゲット交通機関と前記注目位置との間の距離情報、前記ターゲット交通機関が前記注目位置に到着する所要時間、前記ターゲット交通機関が前記注目位置に到着する時刻及び前記ターゲット交通機関が前記注目位置に到着する走行ルート情報のうちの少なくとも１つを含む。
【００２１】
上記装置において、前記位置取得ユニットは、さらに、前記クライアント側に対応する目的位置を取得すること及び前記ターゲット交通機関の現在の時刻での位置を取得することに用いられ、
前記情報処理ユニットは、さらに、前記ターゲット交通機関の現在の時刻での位置及び前記クライアント側に対応する目的位置に基づいて、前記目的位置に対する前記ターゲット交通機関の走行状態情報を取得することに用いられ、
前記情報プッシュユニットは、さらに、前記目的位置に対する前記ターゲット交通機関の走行状態情報がデフォルトのプッシュ条件を満たす場合に、前記クライアント側に前記目的位置に対する前記ターゲット交通機関の走行状態情報をプッシュすることに用いられる。
【００２２】
上記装置において、前記目的位置に対する前記ターゲット交通機関の走行状態情報は、
前記ターゲット交通機関と前記目的位置との間の駅の数、前記ターゲット交通機関と前記目的位置との間の距離情報、前記ターゲット交通機関が前記目的位置に到着する所要時間、前記ターゲット交通機関が前記目的位置に到着する時刻及び前記ターゲット交通機関が前記目的位置に到着する走行ルート情報のうちの少なくとも１つを含む。
【００２３】
上記装置において、前記走行状態情報は地図、文字及び音声の３つのタイプの少なくとも１つを含む。
【発明の効果】
【００２４】
上記した技術案によれば、本発明の実施例は、
本発明の実施例に係る技術的解決手段において、アラート時間になると、注目位置に対するターゲット交通機関の走行状態情報を自動的に取得し、且つクライアント側にプッシュすることができ、従来の技術におけるユーザが検索対象のバス路線名称、バス停名称等の情報を入力してからバス路線の走行状態を取得できる技術案に比べて、注目位置に対する交通機関の走行状態情報を直ちに取得でき、それによりターゲット交通機関の交通情報を取得する効率を向上させ、ユーザの操作コストを削減させ、ユーザのニーズを効果的に満たすことができる有益な効果を奏する。
【図面の簡単な説明】
【００２５】
本発明の実施例の技術的解決手段を一層詳細に説明するために、以下、実施例に必要な図面を簡単に説明し、勿論、以下に記述された図面は本発明のいくつかの実施例に過ぎず、当業者であれば、創造的労働なしにこれらの図面に基づいて他の図面を得ることができる。
【図１】図１は本発明の実施例に係る技術案に用いるシステムの概略図である。
【図２】図２は本発明の実施例に係る交通情報のプッシュ方法の概略フローチャートである。
【図３】図３は本発明の実施例に係る交通情報のプッシュ方法の実施例一におけるクライアント側の第一概略図である。
【図４】図４は本発明の実施例に係る交通情報のプッシュ方法の実施例一におけるクライアント側の第二概略図である。
【図５】図５は本発明の実施例に係る交通情報のプッシュ方法の実施例一におけるクライアント側の第三概略図である。
【図６】図６は本発明の実施例に係る交通情報のプッシュ方法の実施例一におけるクライアント側の第四概略図である。
【図７】図７は本発明の実施例に係る交通情報のプッシュ方法の実施例一におけるクライアント側の第五概略図である。
【図８】図８は本発明の実施例に係る交通情報のプッシュ方法の実施例一におけるクライアント側の第六概略図である。
【図９】図９は本発明の実施例に係る交通情報のプッシュ方法の実施例一におけるクライアント側の第七概略図である。
【図１０】図１０は本発明の実施例に係る交通情報のプッシュ方法の実施例一におけるクライアント側の第八概略図である。
【図１１】図１１（ａ）及び図１１（ｂ）は本発明の実施例に係る交通情報のプッシュ方法の実施例一におけるクライアント側を示す第九概略図及び第十概略図である。
【図１２】図１２は本発明の実施例に係る交通情報のプッシュ方法の実施例一におけるクライアント側を示す第十一概略図である。
【図１３】図１３は本発明の実施例に係る交通情報のプッシュ方法の実施例一におけるクライアント側を示す第十二概略図である。
【図１４】図１４は本発明の実施例に係る交通情報のプッシュ方法の実施例一におけるクライアント側を示す第十三概略図である。
【図１５】図１５は本発明の実施例に係る交通情報のプッシュ方法の実施例一におけるクライアント側を示す第十四概略図である。
【図１６】図１６は本発明の実施例に係る交通情報のプッシュ方法の実施例一におけるクライアント側を示す第十五概略図である。
【図１７】図１７は本発明の実施例に係る交通情報のプッシュ方法の実施例一におけるクライアント側を示す第十六概略図である。
【図１８】図１８は本発明の実施例に係る交通情報のプッシュ方法の実施例二におけるクライアント側を示す概略図である。
【図１９】図１９は本発明の実施例に係る交通情報のプッシュ装置を示す機能ブロック図である。
【発明を実施するための形態】
【００２６】
本発明の技術的解決手段をさらに良好に理解するために、以下、図面を参照しながら本発明の実施例を詳細に説明する。
【００２７】
ただし、説明される実施例は本発明の実施例の一部に過ぎず、すべての実施例ではない。本発明の実施例に基づいて、当業者が創造的労働なしに得られた他の実施例のすべては、本発明の保護範囲に属する。
【００２８】
本発明の実施例に用いられる専門用語はただ特定の実施例を説明するためのものに過ぎず、本発明を限定するものではない。コンテキストに他の意味をはっきり説明しない限り、本発明の実施例及び請求項に用いられる単数形態の「１種」、「前記」及び「当該」も複数形態を含む。
【００２９】
理解すべきなことは、本文に用いられる専門用語の「及び/又は」は関連オブジェクトの相関関係を説明するためのものに過ぎず、三種類の関係が存在可能なことを示し、例えば、「Ａ及び/又はＢ」は、Ａが独立して存在することと、Ａ及びＢが同時に存在することと、Ｂが独立して存在することとの三種類の状況を示すことができる。また、本文における文字「/」は、一般的に前後の関連オブジェクトは「又は」の関係であることを示す。
【００３０】
それにより、コンテキストに応じて、ここで用いられる単語の「すれば」は「……する場合に」又は「……する時に」又は「決定にレスポンスする」又は「検出にレスポンスする」と解釈できる。類似で、コンテキストに応じて、語句「……を決定すれば」又は「（記述された条件又はイベント）を検出すれば」は「……が決定された時に」又は「……の決定にレスポンスする」又は「（記述された条件又はイベント）が検出された時に」又は「（記述された条件又はイベント）の検出にレスポンスする」と解釈できる。
【００３１】
本発明の実施例に係る技術的解決手段に用いられるシステムは図１のように示され、主にクライアント側及びサーバで構成され、本発明の実施例に係る方法及び装置はサーバ側に実現され、主にクライアント側に対応する注目位置を取得し、それから、アラート時間に基づいて、前記注目位置に対するターゲット交通機関の走行状態情報を取得し、最後にクライアント側に前記走行状態情報をプッシュすることに用いられる。
【００３２】
前記クライアント側はすべての端末にインストールされるクライアント側を含んで、前記端末はパソコン（ＰｅｒｓｏｎａｌＣｏｍｐｕｔｅｒ、ＰＣ）、ノートパソコン、携帯電話又はタブレットＰＣを含んでもよいことを理解することができる。
【００３３】
本発明の実施例は交通情報のプッシュ方法を提供し、図２は本発明の実施例に係る交通情報のプッシュ方法を示すフロー概略図である図２を参照し、図面に示されるように、当該方法は、ステップＳ２０１〜ステップＳ２０３を含む。
【００３４】
ステップＳ２０１：クライアント側に対応する注目位置を取得する。
【００３５】
具体的には、サーバはクライアント側に対応する注目位置を取得する必要がある。
【００３６】
例を挙げて説明すると、本発明の実施例において、サーバがクライアント側に対応する注目位置を取得する方法は、以下の３種類を含む。
【００３７】
種類一：サーバは、前記クライアント側から送信される注目位置を受信でき、当該注目位置は前記クライアント側で受信された、ユーザが入力する駅名称であってもよく、前記クライアント側で受信された、ユーザが入力する座標情報であってもよい。
【００３８】
例えば、前記ユーザが入力する駅名称はユーザが乗りたいターゲット交通機関の駅名称であってもよい。
【００３９】
種類二：サーバは、クライアント側から送信される測位要求を受信でき、それから、当該測位要求に基づいて、該クライアント側が所在する端末に対して測位操作を行って前記クライアント側が所在する端末の位置を取得し、当該クライアント側が所在する端末の位置を前記注目位置とする。
【００４０】
種類三：サーバは、前記クライアント側がデフォルトのバーコードを走査した後に取得してから送信した注目位置を受信できる。
【００４１】
前記注目位置は駅名称又は座標情報を含む。
【００４２】
前記バーコードは１次元バーコード又は２次元バーコードを含む。
【００４３】
前記バーコードはターゲット交通機関の駅、例えばバスの駅の立て札、バスの駅に近い看板等の位置に設置されてもよい。
【００４４】
ステップＳ２０２：アラート時間に基づいて、前記注目位置に対するターゲット交通機関の走行状態情報を取得する。
【００４５】
具体的には、サーバはアラート時間に基づいて、前記注目位置に対するターゲット交通機関の走行状態情報を取得できる。
【００４６】
例を挙げて説明すると、サーバがアラート時間に基づいて、前記注目位置に対するターゲット交通機関の走行状態情報を取得する方法は、ステップ１〜ステップ３を含む。
【００４７】
ステップ１：サーバは前記アラート時間及び前記ターゲット交通機関の標識を取得する。
【００４８】
好ましくは、サーバは予め設定された、例えば午後１時４８分のアラート時間を取得できる。
【００４９】
好ましくは、サーバは予め設定されたターゲット交通機関の標識を取得できる。
【００５０】
例えば、サーバはユーザがクライアント側における入力ボックスに入力したターゲット交通機関の標識に基づいてもよく、またクライアント側に複数のターゲット交通機関の標識を表示して、ユーザにより選択されたターゲット交通機関の標識を取得してもよい。もう一つの例として、サーバはクライアント側が送信したターゲット交通機関の標識を受信でき、当該ターゲット交通機関の標識はユーザがデフォルトのバーコードを走査した後に取得するものであってもよく、当該バーコードは１次元バーコード又は２次元バーコードを含んでもよい。
【００５１】
例えば、前記ターゲット交通機関はバス又は地下鉄を含んでもよい。相応に、前記ターゲット交通機関の標識はバスの路線名称又は地下鉄の路線名称、例えば９１９号急行バス、地下鉄１３号線等を含んでもよい。
【００５２】
ステップ２：サーバは現在の時刻がデフォルトのアラート時間になったかどうかを判断し、アラート時間になったと判断さた場合に、サーバはデフォルトのターゲット交通機関の標識に基づいて、当該ターゲット交通機関のアラート時間での位置を取得できる。
【００５３】
好ましくは、ターゲット交通機関に端末を予め取り付けて、全地球測位システム（ＧｌｏｂａｌＰｏｓｉｔｉｏｎｉｎｇＳｙｓｔｅｍ、ＧＰＳ）に基づく測位技術、基地局測位技術及びワイヤレスフィディリティー（Ｗｉｒｅｌｅｓｓ−Ｆｉｄｅｌｉｔｙ、Ｗｉ−Ｆｉ）測位技術のうちの少なくとも一種の測位技術を利用し、ターゲット交通機関に取り付けられる端末に対して測位操作を行い、それによりターゲット交通機関に取り付けられる端末の位置を取得し、それから、ターゲット交通機関に取り付けられる端末の位置を当該ターゲット交通機関の位置としてもよい。
【００５４】
ステップ３：サーバは前記ターゲット交通機関の前記アラート時間での位置及び前記注目位置に基づいて、前記注目位置に対する前記ターゲット交通機関の走行状態情報を取得する。
【００５５】
好ましくは、前記注目位置に対する前記ターゲット交通機関の走行状態情報は、前記ターゲット交通機関と前記注目位置との間の駅の数、前記ターゲット交通機関と前記注目位置との間の距離情報、前記ターゲット交通機関が前記注目位置に到着する所要時間、前記ターゲット交通機関が前記注目位置に到着する時刻及び前記ターゲット交通機関が前記注目位置に到着する走行ルート情報のうちの少なくとも１つを含んでもよい。
【００５６】
例えば、前記注目位置に対する前記ターゲット交通機関の走行状態情報は「９１９号急行バス（徳勝門行き）が唐家嶺東に到着するまで５つのバス停がある」ことであってもよい。もう一つの例として、前記注目位置に対する前記ターゲット交通機関の走行状態情報は「９１９号急行バス（徳勝門行き）が唐家嶺東駅に到着するまで５キロメートルがある」ことであってもよい。さらにもう一つの例として、前記注目位置に対する前記ターゲット交通機関の走行状態情報は「９１９号急行バス（徳勝門行き）が唐家嶺東に到着するまで２０分かかる」ことであってもよい。さらにもう一つの例として、前記注目位置に対する前記ターゲット交通機関の走行状態情報は「９１９号急行バス（徳勝門行き）が午後２点０５分に唐家嶺東に到着する予定である」ことであってもよい。
【００５７】
好ましくは、前記注目位置に対する前記ターゲット交通機関の走行状態情報は地図、文字及び音声の３つのタイプの少なくとも１つを含んでもよい。
【００５８】
例えば、サーバは地図情報を取得して、地図にターゲット交通機関が前記注目位置に到着する走行ルート情報を標記できる。
【００５９】
もう一つの例として、サーバは文字フォーマットの前記ターゲット交通機関と前記注目位置との間の駅の数及び／又は前記ターゲット交通機関と前記注目位置との間の距離情報及び／又は前記ターゲット交通機関が前記注目位置に到着する所要時間及び／又は前記ターゲット交通機関が前記注目位置に到着する時刻を取得できる。
【００６０】
さらにもう一つの例として、サーバは音声フォーマットの前記注目位置に対する前記ターゲット交通機関の走行状態情報を取得でき、そうすると、前記注目位置に対する前記ターゲット交通機関の走行状態情報はクライアント側によってユーザに表示されることができる。
【００６１】
前記注目位置に対する前記ターゲット交通機関の走行状態情報において、注目位置に対する、注目位置に最も近いターゲット交通機関の走行状態情報であってもよく、注目位置に対する、注目位置にまもなく到着する少なくとも２つのターゲット交通機関のそれぞれの走行状態情報であってもよいことを理解することができる。
【００６２】
ステップＳ２０３：クライアント側に前記走行状態情報をプッシュする。
【００６３】
具体的には、サーバは前記注目位置に対する前記ターゲット交通機関の走行状態情報を取得した後に、当該前記注目位置に対するターゲット交通機関の走行状態報をクライアント側に送信して、それによりクライアント側は前記注目位置に対する前記ターゲット交通機関の走行状態情報をユーザに提供する。例えば、クライアント側はユーザに表示してもよい。もう一つの例として、音声フォーマットの走行状態情報の場合に、クライアント側はユーザに放送してもよい。
【００６４】
あるいは、前記Ｓ２０３の後に、
前記クライアント側に対応する目的位置を取得すること、前記ターゲット交通機関の現在の時刻での位置を取得すること、前記ターゲット交通機関の現在の時刻での位置及び前記クライアント側に対応する目的位置に基づいて、前記目的位置に対する前記ターゲット交通機関の走行状態情報を取得すること、及び前記目的位置に対する前記ターゲット交通機関の走行状態情報はデフォルトのプッシュ条件を満たす場合に、前記クライアント側に前記目的位置に対する前記ターゲット交通機関の走行状態情報をプッシュすることを含んでもよい。
【００６５】
具体的には、ユーザは注目位置でターゲット交通機関に乗った後に、クライアント側はユーザに到着することを知らせる必要があり、従ってクライアント側はサーバから前記目的位置に対する前記ターゲット交通機関の走行状態情報を取得できる。
【００６６】
本発明の実施例において、サーバは前記クライアント側に前記目的位置にする前記ターゲット交通機関の走行状態情報をプッシュする方法は、ステップＡ〜Ｃを含んでもよい。
【００６７】
ステップＡ：サーバはクライアント側に対応する目的位置を取得できる。
【００６８】
例えば、サーバはクライアント側で送信された目的位置を受信でき、当該目的位置は、前記クライアント側で受信されるユーザが入力する目的駅の名称であってもよく、前記クライアント側で受信されるユーザが入力する目的座標情報であってもよい。
【００６９】
ステップＢ：サーバは前記ターゲット交通機関の現在の時刻での位置を取得する。
【００７０】
ステップＣ：サーバは前記ターゲット交通機関の現在の時刻での位置及び前記クライアント側に対応する目的位置に基づいて、前記目的位置に対する前記ターゲット交通機関の走行状態情報を取得する。サーバは前記目的位置に対するターゲット交通機関の走行状態情報がデフォルトのプッシュ条件を満たすかどうかを判断し、前記目的位置に対する前記ターゲット交通機関の走行状態情報がプッシュ条件を満たす場合に、サーバは前記クライアント側に前記目的位置に対する前記ターゲット交通機関の走行状態情報をプッシュする。反対に、前記目的位置に対する前記ターゲット交通機関の走行状態情報がプッシュ条件を満たさない場合に、サーバは前記クライアント側に前記目的位置に対する前記ターゲット交通機関の走行状態情報をプッシュしない。
【００７１】
例えば、プッシュ条件はターゲット交通機関と前記目的位置との間の駅の数が３であれば、サーバはターゲット交通機関と前記目的位置との間の駅の数を取得し、且つ当該駅の数が前記プッシュ条件を満たすかどうかを判断し、前記プッシュ条件を満たす場合に、サーバはクライアント側に走行状態情報、例えば「ｘｘｘ号はｘｘｘ駅に到着するまでまだ３つの駅があり、降りる準備をしてください」をプッシュし、それによりクライアント側はユーザに当該走行状態情報を提供し、ユーザが目的位置を乗り越すことを避ける。
【００７２】
好ましくは、前記目的位置に対する前記ターゲット交通機関の走行状態情報は、前記ターゲット交通機関と前記目的位置との間の駅の数、前記ターゲット交通機関と前記目的位置との間の距離情報、前記ターゲット交通機関が前記目的位置に到着する所要時間、前記ターゲット交通機関が前記目的位置に到着する時刻及び前記ターゲット交通機関が前記目的位置に到着する走行ルート情報のうちの少なくとも１つを含んでもよい。
【００７３】
好ましくは、前記目的位置に対する前記ターゲット交通機関の走行状態情報は地図、文字及び音声の３つのタイプの少なくとも１つを含んでもよい。
【００７４】
実施例１
それぞれ本発明の実施例に係る交通情報のプッシュ方法の実施例一におけるクライアント側の第一概略図乃至第十六概略図である図３〜図１７を参照する。
【００７５】
図３に示されるように、ユーザはクライアント側に「お気に入りバス」をクリックし、それから、図４に示されるように、ユーザがサブスクライブしたすべてのターゲット交通機関を表示でき、この時、ユーザはまだターゲット交通機関をサブスクライブしていないため、図４になにも表示されていなく、図４における「追加」ボタンをクリックすると、クライアント側はユーザの入力するバスの路線を受信できる。
【００７６】
図５に示されるように、クライアント側にターゲット交通機関の設定インターフェースを表示し、ユーザは当該設定インターフェースにターゲット交通機関を入力できる。
【００７７】
図６に示されるように、クライアント側はユーザが入力する「９１９号急行バス」を受信する。
【００７８】
サーバは「９１９号急行バス」に対応する検索結果を取得できれば、クライアント側に「９１９号急行バス」の検索結果をプッシュし、当該検索結果は図７に示されるように、クライアント側に「９１９号急行バス」の２つの方面行きの情報、つまり「９１９号急行バス（京張交差点北→徳勝門）」及び「９１９号急行バス（徳勝門→京張交差点北）」が示されている。
【００７９】
クライアント側は「９１９号急行バス」に対応する検索結果を表示した後に、ユーザに選択された検索結果を受信し、図８に示されるように、ユーザが「９１９号急行バス（京張交差点北→徳勝門）」を選択したので、ターゲット交通機関「９１９号急行バス（京張交差点北→徳勝門）」に対応する一連のバス停名称、図８に示されている京張交差点北、上地七街、西二旗駅、唐家嶺東、上地駅、菊園等を表示できる。
【００８０】
クライアント側はユーザが表示される一連の駅名称から選択する注目位置を受信し、図８に示されように、当該注目位置は「唐家嶺東」である。又は、サーバはクライアント側に対して測位操作を行って、クライアント側の位置を取得し、クライアント側の位置に基づいて、一連の駅名称からクライアント側に最も近い駅を自動的に当該注目位置とする。それから、図９に示されるように、サーバは１つのサブスクライブカードを生成し、且つクライアント側に表示されるように送信する。
【００８１】
図１０に示されるように、サーバは「９１９号急行バス」に対応する検索結果を取得できなければ、クライアント側に「該当情報なし」の情報をプッシュし、これにより、クライアント側は当該メッセージをユーザに表示でき、ユーザに入力された「９１９号急行バス」に対応する路線がないことを知らせる。
【００８２】
又は、図１１（ａ）に示されるように、ユーザが「９１９号急行バス」の「９」を入力した後に、サーバは数字「９」に基づいて「９」で始めるすべてのバスを検索し、次にクライアント側に表示されるように送信し、クライアント側に９で始める複数のバス、例えば９１９号急行バス、９０９号バス、９１０号バス、９１１号バス、９１２号バス、９１３号バス及び９１４号バスを表示する。図１１（ｂ）に示されるように、ユーザは「９１３号バス」をクリックすれば、サーバはクライアント側から取得される「９１３番」に基づいて検索し、「９１３号バス」に対応するリアルタイムなバスデータを取得できなければ、クライアント側に「９１３号バスのリアルタイムなデータがしばらくないため、追加できない」の情報をプッシュする。
【００８３】
図１１（ａ）及び図１１（ｂ）に示されるように、「９」で始めるバスにおいてリアルタイムなバスデータを取得できるバスの経路を標記し、表記されていない場合に当該路線のリアルタイムなバスデータを提供できない。図１１（ａ）及び図１１（ｂ）に示されるように、サーバは９１９号急行バス及び９０９号バスのリアルタイムなバスデータを提供できる。
【００８４】
図１２に示されるように、クライアント側にアラート時間の設定インターフェースが表示され、クライアント側はユーザで選択されたアラート時間の「午後１時４８分」を受信する。ユーザで選択されたアラート時間は非運行時間帯であれば、ユーザに情報「９１９号急行バスの運行時間が０５：００〜２３：００である」又は「９１９号急行バスの運行時間が午前０５：００〜１０：００、午後１４：００〜１８：００である」を提供できる。
【００８５】
さらに、クライアント側はアラート時間の日付、例えば平日（休日以外）、繰り返さない、休日、カスタマイズ等を表示できる。本実施例において、クライアント側はユーザで選択されたアラート時間の曜日が平日（休日以外）であることを受信する。
【００８６】
クライアント側はユーザに選択されたアラート時間の日付がカスタマイズであることを受信すれば、図１３に示されるように、クライアント側は月曜日乃至日曜日を表示してもよく、例えば、月曜日、火曜日及び水曜日を選択でき、一つだけを選択してもよく、複数を選択してもよい。
【００８７】
図１４に示されるように、アラート時間を取得した後、１つのサブスクライブカードを生成し、クライアント側は該サブスクライブカードを表示でき、該サブスクライブカードに注目位置、ターゲット交通機関の標識及びアラート時間等の情報が含まれる。アラート時間を取得した後に、サーバがクライアント側に注目位置に対するターゲット交通機関の走行状態情報をプッシュする機能が有効であることをデフォルト設定にする。
【００８８】
図１５に示されように、アラート時間になった後に、サーバは注目位置に対するターゲット交通機関の走行状態情報、つまり、図１５のクライアント側に表示される地図及び「９１９号急行バスが唐家嶺東に到着するまで５つのバス停がある」を取得する。当該地図に２台の「９１９号急行バス」の位置、即ち、図１５の自動車アイコンの位置、及び注目位置、即ち、図１５の気球の位置が標記される。図１５に上下にスクロールして「９１９号急行バス」の駅リストを見る。また、図１５の左上角の「＜」をクリックすれば、クライアント側が図１５に示されているインターフェースから図１４に示されるインターフェースにジャンプするように制御できる。
【００８９】
図１５に上向きの矢印をクリックすれば、「９１９号急行バス」のバス停リストが全画面で表示され、図１６に示されるように、「９１９号急行バス」のバス停リストを全画面で表示することでユーザにより多いバス停の情報を提供できる。
【００９０】
図１７に示されるように、クライアント側に１つのサブスクライブカードが表示され、当該サブスクライブカードに相応なターゲット交通機関、注目位置及びアラート時間等の情報が記憶され、サーバがクライアント側に注目位置に対するターゲット交通機関の走行状態情報をプッシュする機能をオンにしたりオフにしたりすること以外、「削除」ボタンによってサブスクライブカードを削除することもでき、さらに「アラート時間」の編集ボタンによって「アラート時間」を変更することもできる。
【００９１】
さらに、設定されたサーバは「９１９号急行バス」の路線が変化したと発見する場合に、クライアント側に「９１９号急行バスの路線もう変更され、当該サブスクライブ路線を削除してください」の情報をプッシュでき、それによりクライアント側に当該情報及び「削除」ボタンが表示される。サーバは「９１９号急行バス」のリアルタイムなバスデータを３回検出できなければ、クライアント側に「９１９号急行バスのリアルタイムなバスデータがしばらく検出されていなく、当該サブスクライブ路線を削除するか」の情報をプッシュし、それによりクライアント側に当該情報及び「はい/いいえ」ボタンが表示される。
【００９２】
実施例２
本発明の実施例に係る交通情報のプッシュ方法の実施例二におけるクライアント側の概略図である図１８を参照する。図１８に示されるように、ユーザはターゲット交通機関に乗った後に、サーバはターゲット交通機関の位置と目的位置との間の駅数に基づいて、デフォルトのプッシュ条件を満たすかどうかを判断し、デフォルトのプッシュ条件を満たす場合に、クライアント側に目的位置に対するターゲット交通機関の走行状態情報をプッシュし、例えば走行状態情報が「９１９号急行バスが唐家嶺東駅に到着するまで２つのバス停があり、降りる準備をしてください」であってもよい。なお、例えばターゲット交通機関の位置をしばらく取得できなければ、サーバはクライアント側に「９１９号急行バスのリアルタイムなバス情報が検出されていない」をプッシュできる。
【００９３】
本発明の実施例はさらに上記方法の実施例の各ステップ及び方法を実現するための装置の実施例を提供する。
【００９４】
本発明の実施例に係る交通情報のプッシュ装置を示す機能ブロック図である図１９を参照する。図面に示されるように、当該装置は、
クライアント側に対応する注目位置を取得するための位置取得ユニット１００と、
アラート時間に基づいて、前記注目位置に対するターゲット交通機関の走行状態情報を取得するための情報処理ユニット２００と、
クライアント側に前記走行状態情報をプッシュするための情報プッシュユニット３００とを含む。
【００９５】
好ましくは、前記位置取得ユニット１００は、具体的には、
クライアント側から送信される注目位置を受信することに用いられてもよく、
ここで、前記注目位置は、前記クライアント側に受信される、ユーザが入力する駅名称又は座標情報を含んでもよい。
【００９６】
好ましくは、前記位置取得ユニット１００は、具体的には、
前記クライアント側が所在する端末に対して測位操作を行って前記クライアント側が所在する端末の位置を取得し、前記クライアント側が所在する端末の位置を前記注目位置とすることに用いられてもよい。
【００９７】
上記装置において、前記位置取得ユニット１００は、具体的には、
前記クライアント側がデフォルトのバーコードを走査した後に取得してから送信した注目位置を受信すること用いられて、
ここで、前記注目位置は駅名称又は座標情報を含み、
前記バーコードは１次元バーコード又は２次元バーコードを含む。
【００９８】
好ましくは、前記情報取得ユニット２００は、具体的には、
前記アラート時間及び前記ターゲット交通機関の標識を取得することと、
前記アラート時間になると、前記ターゲット交通機関の標識に基づいて、前記ターゲット交通機関の前記アラート時間での位置を取得することと、
前記ターゲット交通機関の前記アラート時間での位置及び前記注目位置に基づいて、前記注目位置に対する前記ターゲット交通機関の走行状態情報を取得することとに用いられてもよい。
【００９９】
好ましくは、前記注目位置にする前記ターゲット交通機関の走行状態情報は、前記ターゲット交通機関と前記注目位置との間の駅の数、前記ターゲット交通機関と前記注目位置との間の距離情報、前記ターゲット交通機関が前記注目位置に到着する所要時間、前記ターゲット交通機関が前記注目位置に到着する時刻及び前記ターゲット交通機関が前記注目位置に到着する走行ルート情報のうちの少なくとも１つを含んでもよい。
【０１００】
あるいは、前記位置取得ユニット１００は、さらに、前記クライアント側に対応する目的位置を取得すること及び前記ターゲット交通機関の現在の時刻での位置を取得することに用いられ、
前記情報処理ユニット２００は、さらに、前記ターゲット交通機関の現在の時刻での位置及び前記クライアント側に対応する目的位置に基づいて、前記目的位置に対する前記ターゲット交通機関の走行状態情報を取得することに用いられ、
前記情報プッシュユニット３００は、さらに、前記目的位置に対する前記ターゲット交通機関の走行状態情報はデフォルトのプッシュ条件を満たす場合に、前記クライアント側に前記目的位置に対する前記ターゲット交通機関の走行状態情報をプッシュすることに用いられることである。
【０１０１】
好ましくは、前記目的位置に対する前記ターゲット交通機関の走行状態情報は前記ターゲット交通機関と前記目的位置との間の駅の数、前記ターゲット交通機関と前記目的位置との間の距離情報、前記ターゲット交通機関が前記目的位置に到着する所要時間、前記ターゲット交通機関が前記目的位置に到着する時刻及び前記ターゲット交通機関が前記目的位置に到着する走行ルート情報のうちの少なくとも１つを含んでもよい。
【０１０２】
好ましくは、前記走行状態情報は地図、文字及び音声の３つのタイプの少なくとも１つを含んでもよい。
【０１０３】
本実施例における各ユニットは図２に示される方法を実行できるため、本実施例に詳細に説明されていない部分について、図２に対する関連説明を参照してもよい。
【０１０４】
本発明の実施例の技術案は、
本発明の実施例に係る技術的解決手段において、アラート時間になると、注目位置に対するターゲット交通機関の走行状態情報を自動的に取得し、且つクライアント側にプッシュすることができ、従来の技術におけるユーザが検索対象のバス路線名称、バス停名称等の情報を入力してからバス路線の走行状態を取得できる技術案に比べて、注目位置に対する交通機関の走行状態情報を直ちに取得でき、それによりターゲット交通機関の交通情報を取得する効率を向上させ、ユーザの操作コストを削減させ、ユーザのニーズを効果的に満たすことができ、さらに、クライアント側とサーバとの間の対話を減らし、それによりサーバの処理負荷を減少させ、サーバの処理効率を向上させることもできる有益な効果を奏する。
【０１０５】
当業者は、説明の便宜上、以上に説明されたシステム、装置及びユニットの具体的な動作過程は、上記した方法の実施例における対応する過程を参照でき、ここで省略ことを理解すべきである。
【０１０６】
本発明の提供するいくつかの実施例において、開示されたシステム、装置及び方法は、他の方式によって実現されることもできることを理解すべきである。例えば、以上で説明された装置の実施例は例示的なものに過ぎず、例えば、前記ユニットの区分は、論理機能の区分に過ぎず、実際に実現される時に他の区分方式であってもよく、例えば、複数のユニット又はエレメントを組み合わせて又は他のシステムに集積することもでき、又はいくつかの特徴を省略し、又は実行しないこともできる。さらに、表示又は検討された相互のカップリング又は直接カップリング又は通信接続はいくつかのインターフェース、装置又はユニットの間接カップリング又は通信によって接続されてもよく、電気、機械又は他の形態であってもよい。
【０１０７】
上記した分離部品として説明されたユニットは物理的な分離であってもよく又は物理的な分離でなくてもよく、ユニットとして表示される部品は物理的ユニットであってもよく又は物理的ユニットでなくてもよく、即ち、同じ場所に位置してもよく、又は複数のネットワークユニットに分布されてもよい。実際のニーズに応じて、ユニットの一部又はユニットの全てを選択して本実施例の目的を実現することができる。
【０１０８】
さらに、本発明の各実施例における各機能ユニットは１つの処理ユニットに集積されてもよく、各ユニットは独立して物理的に存在してもよく、２つ又は２つ以上のユニットが１つのユニットに集積されてもよい。上記の集積されたユニットはハードウェアの形態で達成されてもよく、ハードウェアとソフトウェアの機能ユニットの形態で達成されてもよい。
【０１０９】
上記のソフトウェア機能ユニットの形態で実現される集積ユニットは、コンピュータ読み取り可能な記憶媒体に記憶されることができる。上記のソフトウェア機能ユニットは記憶媒体に記憶され、１台のコンピュータ装置（パソコン、サーバ、又はネットワーク装置等であってもよい）又はプロセッサ（Ｐｒｏｃｅｓｓｏｒ）に本発明の各実施例に記述した方法の一部のステップを実行させるいくつかのコマンドを含む。上記した記憶媒体は、Ｕディスク、モバイルハードディスク、読み出し専用メモリ（Ｒｅａｄ−ＯｎｌｙＭｅｍｏｒｙ、ＲＯＭ）、ランダムアクセスメモリ（ＲａｎｄｏｍＡｃｃｅｓｓＭｅｍｏｒｙ、ＲＡＭ）、フロッピーディスク又はコンパクトディスク等の各種のプロクラムコードを記憶可能な媒体を含む。
【０１１０】
以上は本発明の好ましい実施例に過ぎず、本発明を制限するものではなく、本発明の趣旨及び原則を逸脱しない範囲内で、実施される任意の修正、同等置き換え、改良等は、いずれも本発明の保護範囲内に含まれるべきである。
【図１】
0006333984.tif 000002
【図２】
0006333984.tif 000003
【図３】
0006333984.tif 000004
【図４】
0006333984.tif 000005
【図５】
0006333984.tif 000006
【図６】
0006333984.tif 000007
【図７】
0006333984.tif 000008
【図８】
0006333984.tif 000009
【図９】
0006333984.tif 000010
【図１０】
0006333984.tif 000011
【図１１】
0006333984.tif 000012
【図１２】
0006333984.tif 000013
【図１３】
0006333984.tif 000014
【図１４】
0006333984.tif 000015
【図１５】
0006333984.tif 000016
【図１６】
0006333984.tif 000017
【図１７】
0006333984.tif 000018
【図１８】
0006333984.tif 000019
【図１９】
0006333984.tif 000020